(57)【要約】【課題】グリスを案内軸の周方向に渡って供給することができる移動体支持構造、及びこれを備えたカメラを得る。【解決手段】ガイド軸５０（案内軸）の周りに螺旋状の押圧面６４Ａを備えた外形円状の回転部材６４が、ガイド軸５０に固定されている。また、螺旋状の押圧面６４Ａを押圧し回転部材６４を矢印Ａ方向に回転させる押圧部材６６が、ホルダ４６と一体的に設けられている。ホルダ４６を矢印Ｃ方向へ移動させると、押圧部材６６が螺旋状の押圧面６４Ａを押圧し、ガイド軸５０は、矢印Ａ方向に回転する。このように、ガイド軸５０を回転させることでガイド軸５０上の一箇所に設けられたグリス溜部６２のグリス６０をガイド軸５０の周方向に渡って供給することができる。【選択図】図１
2009079739.tif 000002
【特許請求の範囲】
【請求項１】
両端が回転可能に支持された案内軸と、
前記案内軸が貫通する円孔が設けられると共に、前記案内軸の軸方向へ移動可能に支持される移動体と、
前記円孔の周辺に設けられると共に、充填された潤滑用のグリスを前記案内軸に供給するグリス溜部と、
前記移動体が、前記案内軸に沿って移動して当ると前記案内軸を回転させる回転手段と、
を備えることを特徴とする移動体支持構造。
【請求項２】
前記回転手段は、
前記案内軸に固定され、前記案内軸の周りに螺旋状の押圧面を備える回転部材と、
前記移動体に設けられ、前記押圧面を押圧して前記回転部材を一の方向に回転させる押圧部材と、
前記押圧面の押圧状態を解除すると、前記回転部材を付勢して他の方向へ回転させる付勢部材と、
を備えることを特徴とする請求項１記載の移動体支持構造。
【請求項３】
前記移動体は、
前記押圧部材が前記押圧面を押圧しない第１の移動範囲と、
前記押圧部材が前記押圧面を押圧する第２の移動範囲と、
を移動することを特徴とする請求項２に記載の移動体支持構造。
【請求項４】
請求項１〜３何れか１項に記載の移動体支持構造と、
前記移動体に支持される光学補正方式により手ぶれ補正を行う手ぶれ補正部材と、
を備えることを特徴とするカメラ。
【請求項５】
請求項３に記載の移動体支持構造と、
前記移動体に支持される光学補正方式により手ぶれ補正を行う手ぶれ補正部材と、
撮影時に、前記手ぶれ補正部材を前記第１の移動範囲で移動させて手ぶれ補正を行い、非撮影時に、前記手ぶれ補正部材を前記第２の移動範囲で移動させて前記回転部材を回転させる制御部と、
を備えることを特徴とするカメラ。
【請求項６】
被写体を撮像する撮像素子と、
前記撮像素子から送られる画像データを画像表示する表示装置と、
を備え、
前記制御部は、電源をオン操作し、前記表示装置に画像が表示される前に、前記手ぶれ補正部材を前記第２の移動範囲で移動させて前記回転部材を回転させることを特徴とする請求項５に記載のカメラ。
【請求項７】
被写体を撮像する撮像素子と、
前記撮像素子から送られる画像データを画像表示する表示装置と、
を備え、
前記制御部は、電源をオフ操作し、前記表示装置の画像が消えた後に、前記手ぶれ補正部材を前記第２の移動範囲で移動させて前記回転部材を回転させることを特徴とする請求項５に記載のカメラ。
【発明の詳細な説明】
【技術分野】
【０００１】
本発明は、移動体支持構造、及びこれを備えたカメラに関する。
【背景技術】
【０００２】
特許文献１に記載のレンズ鏡筒は、レンズを保持するレンズホルダーを光軸方向に移動可能に保持する案内軸を備えている。
【０００３】
詳細には、レンズホルダーには案内軸が貫通する筒状の軸受部が設けられており、レンズホルダーが案内軸に沿って移動可能となっている。
【０００４】
ここで、凹状のグリス溜部が軸受部の外周壁を開口して設けられている。そして、このグリス溜部に充填されたグリスは、軸受部を貫通する案内軸に供給される。
【０００５】
このよに、案内軸にグリスを供給することで、案内軸とレンズホルダーの摺動抵抗を低減するようになっている。
【特許文献１】特開平８−８２３２０号公報
【発明の開示】
【発明が解決しようとする課題】
【０００６】
しかしながら、このレンズホルダー（移動体）の支持構造によると、案内軸に供給されるグリスは、案内軸の片側にしか供給されず、案内軸の周方向に渡って供給されない。このため、グリスが供給されない側では、案内軸と軸受部との摺動抵抗を低減することができない構造となっている。
【０００７】
本発明は、上記事実を考慮して、グリスを案内軸の周方向に渡って供給することが課題である。
【課題を解決するための手段】
【０００８】
本発明の請求項１に係る移動体支持構造は、両端が回転可能に支持された案内軸と、前記案内軸が貫通する円孔が設けられると共に、前記案内軸の軸方向へ移動可能に支持される移動体と、前記円孔の周辺に設けられると共に、充填された潤滑用のグリスを前記案内軸に供給するグリス溜部と、前記移動体が、前記案内軸に沿って移動して当ると前記案内軸を回転させる回転手段と、を備えることを特徴とする。
【０００９】
上記構成によれば、案内軸の両端は回転可能に支持され、移動体には、この案内軸が貫通する円孔が設けられている。これにより、移動体は案内軸の軸方向へ移動可能に支持される。
【００１０】
さらに、円孔の周辺に設けられたグリス溜部に充填された潤滑用のグリスが、案内軸に供給され、回転手段は、移動体が案内軸に沿って移動して当ると案内軸を回転させる。
【００１１】
このように、回転手段が、案内軸を回転させることで、グリス溜部から供給されたグリスを案内軸の周方向に渡って供給することができる。
【００１２】
本発明の請求項２に係る移動体支持構造は、請求項１に記載において、前記回転手段は、前記案内軸に固定され、前記案内軸の周りに螺旋状の押圧面を備える回転部材と、前記移動体に設けられ、前記押圧面を押圧して前記回転部材を一の方向に回転させる押圧部材と、前記押圧面の押圧状態を解除すると、前記回転部材を付勢して他の方向へ回転させる付勢部材と、を備えることを特徴とする。
【００１３】
上記構成によれば、案内軸の周りに螺旋状の押圧面を備える回転部材が、案内軸に固定されている。
【００１４】
そして、移動体に設けられた押圧部材が、回転部材の押圧面を押圧して回転部材を一の方向に回転させる。また、押圧面の押圧状態を解除すると、付勢部材が、回転部材を他の方向に回転させる。
【００１５】
一の方向、及び他の方向へ回転する回転部材に伴って案内軸も回転するため、グリス溜部から供給されたグリスを案内軸の周方向に渡って供給することができる。
【００１６】
本発明の請求項３に係る移動体支持構造は、請求項２に記載において、前記移動体は、前記押圧部材が前記押圧面を押圧しない第１の移動範囲と、前記押圧部材が前記押圧面を押圧する第２の移動範囲と、を移動することを特徴とする。
【００１７】
上記構成によれば、移動体は、押圧部材が押圧面を押圧しない第１の移動範囲と、押圧部材が押圧面を押圧する第２の移動範囲とを移動する。
【００１８】
つまり、第１の移動範囲で移動する移動体を第２の移動範囲で移動させることで案内軸の周方向に渡ってグリスを供給することができる。
【００１９】
すなわち、必要に応じて移動体を第２の移動範囲で移動させることで、案内軸の周方向に渡ってグリスを供給することができる。
【００２０】
本発明の請求項４に係るカメラは、請求項１〜３何れか１項に記載の移動体支持構造と、前記移動体に支持される光学補正方式により手ぶれ補正を行う手ぶれ補正部材と、を備えることを特徴とする。
【００２１】
上記構成によれば、カメラに備えられた光学補正方式により手ぶれ補正を行う手ぶれ補正部材は、請求項１〜３何れか１項に記載の移動体支持構造に設けられた移動体に支持されている。このため、移動体を案内する案内軸の周方向にはグリスが供給されており、手ぶれ補正部材をスムーズに移動させることができる。
【００２２】
本発明の請求項５に係るカメラは、請求項３に記載の移動体支持構造と、前記移動体に支持される光学補正方式により手ぶれ補正を行う手ぶれ補正部材と、撮影時に、前記手ぶれ補正部材を前記第１の移動範囲で移動させて手ぶれ補正を行い、非撮影時に、前記手ぶれ補正部材を前記第２の移動範囲で移動させて前記回転部材を回転させる制御部と、を備えることを特徴とする。
【００２３】
上記構成によれば、カメラに備えられた光学補正方式により手ぶれ補正を行う手ぶれ補正部材は、請求項３に記載の移動体支持構造に設けられた移動体に支持されている。
【００２４】
さらに、制御部は、撮影時に、移動体を第１の移動範囲で移動させて手ぶれ補正を行い、非撮影時に、手ぶれ補正部材を第２の移動範囲で移動させ、回転部材を回転させてグリスを案内軸の周方向に渡って供給する。
【００２５】
このように、第１の移動範囲で移動体を移動させて手ぶれ補正を行うため、手ぶれ補正を行う際には、移動体が回転部材を回転させることがなく、移動体に対する負荷を軽減することができる。このため、素早く手ぶれ補正をすることができる。
【００２６】
本発明の請求項６に係るカメラは、請求項５に記載において、被写体を撮像する撮像素子と、前記撮像素子から送られる画像データを画像表示する表示装置と、を備え、前記制御部は、電源をオン操作し、前記表示装置に画像が表示される前に、前記手ぶれ補正部材を前記第２の移動範囲で移動させて前記回転部材を回転させることを特徴とする。
【００２７】
上記構成によれば、被写体を撮像する撮像素子から送られる画像データが表示装置に画像表示される。
【００２８】
また、制御部は、電源をオン操作し、表示装置に撮像素子から送られた画像データが画像表示される前に、移動体を第２の移動範囲で移動させて回転部材を回転させる。
【００２９】
このように、表示装置に画像が表示される前に、移動体を第２の移動範囲で移動させ、回転部材を回転させてグリスを案内軸の周方向に渡って供給する。
【００３０】
そして、撮影時、つまり表示装置に画像が表示されている際は、第１の移動範囲で移動体を移動させて手ぶれ補正を行うため、手ぶれ補正を行う際には、移動体が回転部材を回転させることがなく、移動体に対する負荷を軽減することができる。このため、素早く手ぶれ補正をすることができる。
【００３１】
本発明の請求項７に係るカメラは、請求項５に記載において、被写体を撮像する撮像素子と、前記撮像素子から送られる画像データを画像表示する表示装置と、を備え、前記制御部は、電源をオフ操作し、前記表示装置の画像が消えた後に、前記手ぶれ補正部材を前記第２の移動範囲で移動させて前記回転部材を回転させることを特徴とする。
【００３２】
上記構成によれば、被写体を撮像する撮像素子から送られる画像データが表示装置に画像表示される。
【００３３】
また、制御部は、電源をオフ操作し、撮像素子から送られた表示装置の画像表示が消えた後に、移動体を第２の移動範囲で移動させて回転部材を回転させる。
【００３４】
このように、表示装置の画像表示が消えた後に、手ぶれ補正部材を第２の移動範囲で移動させ、回転部材を回転させてグリスを案内軸の周方向に渡って供給する。
【００３５】
そして、撮影時、つまり表示装置に画像が表示されている際は、第１の移動範囲で移動体を移動させて手ぶれ補正を行うため、手ぶれ補正を行う際には、移動体が回転部材を回転させることがなく、移動体に対する負荷を軽減することができる。このため、素早く手ぶれ補正をすることができる。
【発明の効果】
【００３６】
本発明によれば、グリスを案内軸の周方向に渡って供給することができる。
【発明を実施するための最良の形態】
【００３７】
本発明の第１実施形態に係る移動体支持構造が採用されたデジタルカメラ１０について図１〜図９に従って説明する。
【００３８】
図９（Ａ）に示されるように、デジタルカメラ１０のボディ中央にはレンズ鏡胴１２が備えられており、そのレンズ鏡胴１２には撮影レンズ１２Ａが内蔵されている。また、そのレンズ鏡胴１２の上方にはファインダ１４が備えられており、そのファインダ１４の横方であってレンズ鏡胴１２の右斜め上方には発光窓１６が備えられている。
【００３９】
この発光窓１６からは、後述するシステム制御回路８０によって撮影補助光の照射が必要であると判定された場合に被写体に向けて撮影補助光が照射される。またボディ上面にはモードダイヤル１８とシャッターボタン２０が備えられている。
【００４０】
このモードダイヤル１８には、複数のモードが切替項目として刻まれておりその切替項目の中には撮影モードや再生モードなどがある。さらに、その撮影モードの中に静止画撮影モードや動画撮影モード等の切替項目が刻まれている。
【００４１】
図９（Ｂ）に示されるように、ボディ背面には画像表示部２２が備えられており、その画像表示部２２の上方にはファインダ１４の接眼窓２４が備えられている。またその画像表示部２２の右斜め下方には電源スイッチ２６が設けられていて、その電源スイッチ２６が操作されると、このデジタルカメラ１０が動作状態になって画像表示部２２上にスルー画が表示されたり、後述するメニューボタン２８の操作に応じて画像表示部２２上にメニューが表示されたり、さらにはモードダイヤル１８の切替位置に応じては再生画像が画像表示部２２上に表示されたりする。
【００４２】
また、画像表示部２２の横には、表示画像をＯＮ・ＯＦＦするＯＮ・ＯＦＦスイッチ３２が設けられており、さらに、ＯＮ・ＯＦＦスイッチ３２の上には、メニューボタン２８が配置されている。
【００４３】
このメニューボタン２８が押されたときに画像表示部２２上に表示されるメニューの中のいずれかの選択項目を選択するための十字キー３０がメニューボタン２８の横に配備されている。その十字キー３０には上下左右キーの４つのキーが設けられており、それらのキーのうちの上あるいは下キーの操作によりいずれかの選択項目が選択され十字キー３０の中央にある決定ボタン３０Ａが操作されるか、あるいは右キー３０Ｂが操作されると選択項目のうちのいずれかが後述するシステム制御手段内に設定される様になっている。
【００４４】
次に、このデジタルカメラ１０の内部の構成を図８に基づいて説明する。
【００４５】
このデジタルカメラ１０のすべての処理は、システム制御回路８０によって制御されている。このシステム制御回路８０の入力部には図９に示したモードダイヤル１８、シャッターボタン２０、画像表示ＯＮ・ＯＦＦスイッチ３２、十字キー３０、メニューボタン２８等の操作子が接続されている。そして、これらの操作子のうちの少なくともいずれかの操作による操作信号がこのシステム制御回路８０に供給されてくると、それらの操作子の操作に応じた処理が開始されるようになっている。
【００４６】
なお、この図８では、十字キー３０やメニューボタン２８、さらに決定ボタン３０Ａをまとめにして操作部８２としてある。
【００４７】
また、図９には示していないが、本実施形態のデジタルカメラ１０には、着脱自在な記憶媒体としてのメモリーカード８４が、媒体装填室８６に装着されている。さらに、メモリーカード８４が媒体装填室８６内に装着されているかどうかを検知するための記憶媒体着脱検知手段９０が備えられている。
【００４８】
さらに、表示画面の表面を保護するための防護用扉やその防護用扉の開閉を検知する画像表示部開閉検知手段９２も備えられている。これらの記憶媒体着脱検知手段９０や画像表示部開閉検知手段９２、それぞれからの信号もシステム制御回路８０に供給されるようになっており、システム制御回路８０はそれらの信号を受けて処理を実行するようになっている。
【００４９】
また、システム制御回路８０は、ズームスイッチとしても機能する十字キー３０（操作部８２内にある）の操作に応じてズーム制御手段９４に指示して撮影レンズ１２Ａの中のズームレンズを移動させたり、後述するＴＴＬ測距により得た測距結果に応じて測距制御手段９６に指示して撮影レンズ１２Ａの中のフォーカスレンズを所定の位置に移動させたりもしている。
【００５０】
さらに、このシステム制御回路８０では、ＣＣＤ固体撮像素子１００で生成された画像データに基づいて上記ＴＴＬ測距とともにＴＴＬ測光が行なわれている。
【００５１】
また、本実施形態のデジタルカメラ１０においては、ＣＣＤ固体撮像素子１００で生成された画像データが画像処理回路１０２を経由して色温度測定回路１０４に供給され色温度測定回路１０４で色温度の測定が行なわれている。この色温度の測定結果に基づいてホワイトバランス処理部が備える各色アンプのゲイン設定などが行なわれて好適なホワイトバランス調整がシステム制御回路８０内のホワイトバランス処理部で行なわれる。
【００５２】
さらに、上記ＴＴＬ測光による測光値に応じてシステム制御回路８０は、露光制御手段１０６に指示してその露光制御手段に絞り色温度測定回路１０４の開口を調節させたり、撮影時に撮影補助光の発光を行なわせる必要があるかどうかの判定も行っている。
【００５３】
また、測光値に応じてシステム制御回路８０は、シャッター秒時を定めるとともに、そのシャッター秒時をタイミング発生回路１０８に通知して撮影時にタイミング発生回路１０８にそのシャッター秒時に応じた信号をＣＣＤ固体撮像素子１００に供給させることによりＣＣＤ固体撮像素子１００の感光面に所定の光量で被写体像を結像させるようにもしている。
【００５４】
さらに、撮影レンズ１２Ａと後述するレンズバリア１３０との間には、撮影時の手ぶれを防止する手ぶれ補正レンズ４０が設けられており、手ぶれ補正レンズ４０は、手ぶれ制御手段４２によって作動するようになっている。
【００５５】
一方、角速度を感知する角速度センサとしてのジャイロセンサ４４が設けられており、ジャイロセンサ４４が検知した角速度が、システム制御回路８０へ伝達され、これに基づいて、システム制御回路８０は、手ぶれ制御手段４２を制御し、手ぶれを打ち消すように手ぶれ補正レンズ４０を移動するようになっている。
【００５６】
なお、手ぶれ補正レンズ４０を移動させる構造については、詳細を後述する。
【００５７】
さらに、測光結果に応じてシステム制御回路８０が、撮影補助光の発光を行なわせる必要があると判定したときには、補助光発光部を備える発光量制御手段１１２に指示してＬＥＤ駆動回路１１４に３つのＬＥＤ１１６Ａ〜１１６Ｃを駆動させることによって、撮影補助光を被写体に向けて照射させるようにしている。
【００５８】
このＬＥＤ駆動回路１１４内にはメインコンデンサが配備されており、そのメインコンデンサからＬＥＤ１１６Ａ〜１１６Ｃに向けて電荷が放電されたらそれらのＬＥＤ１１６Ａ〜１１６Ｃから発光が行なわれる様になっている。
【００５９】
なお、このＬＥＤ駆動回路１１４内には充電回路やメインコンデンサの充電電圧をモニタするモニタ回路等も配備されていてそのモニタ回路によるモニタ結果は発光量制御手段１１２を経由してシステム制御回路８０に伝えられる様になっている。
【００６０】
次に、上記構成を持つデジタルカメラ１０の動作を、図８、図９に基づいて説明する。
【００６１】
デジタルカメラ１０の電源スイッチ２６（操作部８２内にある）が投入されシステム制御回路８０を含む各部に電池１２０から電力が供給されたら不揮発性メモリ１２２内のプログラムの手順にしたがってシステム制御回路８０により撮影処理が開始される。
【００６２】
この例では電池１２０の消費電力を抑制するために操作部８２内の電源スイッチ２６（図１参照）が投入されシステム制御回路８０（システム制御回路８０には電池からの電力が常に供給されている）により電源スイッチ２６が投入されたことが検知されたときに初めて電池１２０から電源制御手段１２４を介して各ブロックに電力が供給されるようになっている。
【００６３】
先ず、このように各部に電力が供給されて動作状態になったデジタルカメラ１０の撮影処理に係る処理部の構成および動作を説明する。
【００６４】
レンズ鏡胴１２内にはフォーカスレンズやズームレンズといった撮影レンズ１２Ａ、手ぶれ補正レンズ４０、さらに光量調節用の絞り１３２などが配備されている。
【００６５】
また、この例においてはレンズを保護すると共に、バリア制御手段１６０に制御されるレンズバリア１３０が配備されている例が示されており、電源スイッチ２６が投入されるとそのレンズバリア１３０が解放されてレンズ鏡胴１２がボディから繰出されることによって撮影レンズ１２Ａが表面に露出する構成になっている。
【００６６】
この電源スイッチ２６が投入されたときにモードダイヤル１８が撮影モードに切り替えられていた場合には、まず表面に露出した撮影レンズ１２Ａを通ってＣＣＤ固体撮像素子１００に結像された被写体像が、タイミング発生回路１０８からのタイミング信号に基づいて所定の間隔ごと（３３ｍｓごと）に間引かれて出力される。
【００６７】
その出力されたスルー画を表わす画像データ（以下スルー画データ）がＡ／Ｄ変換回路１３４でアナログの画像データからデジタルのスルー画データに変換され、さらにデジタルのスルー画データがメモリ制御部１３６に制御され画像処理回路１０２に導かれる。
【００６８】
この画像処理回路１０２でＲＧＢのスルー画データからＹＣ信号のスルー画データに変換され、さらにメモリ制御部１３６に制御され画像表示メモリ１４０に導かれてスルー画データがその画像表示メモリ１４０内に記憶されるようになっている。この画像表示メモリ１４０内に記憶された１フレーム分のスルー画データがメモリ制御部１３６により読み出されてＤ／Ａ変換機１４４に導かれアナログのスルー画データに変換されてから画像表示部２２に供給される。
【００６９】
また、撮影時に、デジタルカメラ１０を保持するユーザの手が振れる場合には、ジャイロセンサ４４が角速度を検知し、この検知された角速度に基づいてシステム制御回路８０が、手ぶれ制御手段４２を制御し、手ぶれを打ち消すように手ぶれ補正レンズ４０を移動させる。このため、手ぶれの抑制された画像が、画像表示部２２に表示されるようになっている。
【００７０】
ここでスルー画データの流れとともに各部の動作を詳細に説明していく。
【００７１】
システム制御回路８０の制御の下にタイミング発生回路１０８からのタイミング信号（例えば３３ｍｓごと）に応じて、ズーム制御手段９４でＣＣＤ固体撮像素子１００上の受光面に結像させた被写体像を表わす画像データをスルー画データとしてＡ／Ｄ変換回路１３４へと出力させる。
【００７２】
このＡ／Ｄ変換回路１３４でアナログの画像データからデジタルの画像データに変換されたスルー画データが、メモリ制御部１３６に制御され画像処理回路１０２に導かれる。この画像処理回路１０２によってＲ色、Ｇ色、Ｂ色の各信号に分離されて色温度測定回路１０４に供給されたり、システム制御回路８０に供給されたりする。
【００７３】
色温度測定回路１０４では、各色の色信号に基づいて色温度の測定が行なわれ測定が終了したときにはシステム制御回路８０にその測定の結果を表す信号が供給される。システム制御回路８０内にはホワイトバランス調整部などの信号処理回路が配備されていて、その測定結果を受けてシステム制御回路８０によってホワイトバランス調整部内の各色アンプのゲインの設定等が行なわれる。
【００７４】
一方、システム制御回路８０に供給されたＲ色信号、Ｇ色信号、Ｂ色信号は、システム制御回路８０内のホワイトバランス処理部に供給されホワイトバランスの調整が行なわれた後、ＹＣ信号への変換やガンマ補正等が行われる。こうして信号処理が行なわれたＹＣ信号が画像表示メモリ１４０に供給され、画像表示メモリ１４０に記憶される。
【００７５】
この画像表示メモリ１４０には少なくとも２フレーム分の画像データが記憶されるようになっており、２フレーム分の画像データのうち、古い時刻に記憶された１フレーム分の画像データがＤ／Ａ変換機１４４に導かれアナログ信号に変換されて画像表示部２２に供給されスルー画が画像表示部２２上に表示される。
【００７６】
また、前述したようにシステム制御回路８０では、ＴＴＬ測距が行なわれその測距結果に基づいて測距制御手段９６に指示して常に合焦点に撮影レンズ１２Ａの中のフォーカスレンズを移動させたり、またズームスイッチとしても機能する十字キー３０が操作されたときにはズーム制御手段９４に指示してそのズームスイッチの操作によるズーム倍率に応じた位置に撮影レンズ１２Ａの中のズームレンズを移動させたりしている。
【００７７】
また、システム制御回路８０では、手ぶれ制御手段４２を制御し、手ぶれ補正レンズ４０を手ぶれを打ち消すように移動させたりする。
【００７８】
このため、表示画面上にはズームスイッチである十字キー３０の操作位置に応じたズーム倍率を持つ、手ぶれが補正されてピントのあったスルー画が常に表示される様になる。
【００７９】
このようにして撮影レンズが向けられた被写体がスルー画として表示画面上に表示されているときに半押し、全押しという２つの操作態様を持つシャッターボタン２０が半押しされたら撮影準備が整えられ、さらに全押しされたら撮影処理が行なわれる。
【００８０】
なお、本実施形態においては、システム制御回路８０がシャッターボタン２０の半押し時にＴＴＬ測光やＴＴＬ測距を行なっておいて、シャッターボタン２０の全押しタイミングでタイミング発生回路１０８に露光開始信号をＣＣＤ固体撮像素子１００に向けて供給させており、ＴＴＬ測光の測光結果により撮影補助光の発光が必要であるとシステム制御回路８０が判定した場合には発光量制御手段１１２に指示してシャッターボタン２０の全押しに同期して撮影補助光を発光させる様にもしている。
【００８１】
この様にして、撮影補助光の発光・非発光に拘わらず撮影に必要な撮影光量が確保されて撮影が開始されたら、システム制御回路８０は、タイミング発生回路１０８に指示を出し、さらに所定の時間を隔てて露光終了信号をＣＣＤ固体撮像素子１００に向けて供給させる。
【００８２】
こうしてタイミング発生回路１０８に露光終了信号を供給させたらその露光終了信号に同期してＣＣＤ固体撮像素子１００からＡ／Ｄ変換回路１３４にアナログの画像データが出力される。そのアナログの画像データがＡ／Ｄ変換回路１３４でデジタルの画像データに変換され、さらに、このデジタルの画像データがメモリ制御部１３６に制御されバスを経由してメモリ１４６に供給される。そのメモリ１４６にＣＣＤ固体撮像素子１００が備えるすべての画素からなる画像データがすべて記憶されたら、今度はシステム制御回路８０の制御の下にその画像データが読み出されてシステム制御回路８０で前述のホワイトバランス調整やＹＣ変換処理やガンマ補正などが行なわれる。
【００８３】
さらに、ホワイトバランス調整やガンマ補正が行なわれた後、ＹＣ信号からなる画像データがバスを介して圧縮・伸張回路１４８に供給されＹＣ信号からなる画像データが圧縮されてメモリーカード８４に記憶される。こうしてシャッターボタン２０の全押し操作に応じて撮影処理が実行され、メモリーカード８４に撮影により得られた画像データが圧縮されて記憶される。
【００８４】
なお、図８には、カメラボディ側面部にあるコネクタ１５０にケーブルを介してアンテナＡｎｔが接続されると外部との間で無線通信が行なえる通信手段１５２や、操作内容をユーザに伝える表示部１５４やメモリ１５６なども図示されている。
【００８５】
次に、手ぶれ補正レンズ４０を移動させる構造について説明する。
【００８６】
図４に示されるように、手ぶれ補正レンズ４０を支持する支持構造３８には、フレーム部材５２に両端が回転可能に支持された案内軸としてのガイド軸５０設けられている。
【００８７】
また、このカイド軸５０が貫通する２つの円孔４８を上端部に備えると共に、ガイド軸５０の軸方向へ移動可能に支持される移動体としてのホルダ４６が設けられており、このホルダ４６には、補正レンズ４０が支持されている。
【００８８】
また、図５に示されるように、ホルダ４６の下端は、下方が開口したチャンネル形状となっており、開口部４６Ａには、ガイド軸５０と同一方向に延びる円柱状の補助軸５６が設けられており、この補助軸５６の両端部は、フレーム部材５２に固定されている。
【００８９】
さらに、フレーム部材５２には、手ぶれ補正レンズ４０を通過した光を撮影レンズ１２Ａへ通す貫通口５２Ａが形成されている。
【００９０】
この構成により、図４に示されるように、補助軸５６は、ホルダ４６がガイド軸５０周りに回転するのを防止するようになっている。つまり、ホルダ４６は、ガイド軸５０に沿って回転することなく移動することができる。
【００９１】
さらに、ホルダ４６には、ガイド軸５０に沿ってホルダ４６を移動させる駆動部材５８が連結されており、駆動部材５８は、手ぶれ制御手段４２（図８参照）の指示によってホルダ４６を往復移動させることができる。
【００９２】
また、図３に示されるように、ホルダ４６に設けられた円孔４８の上側には、潤滑用のグリス６０が充填されるグリス溜部６２が、ホルダ４６を凹状に切り欠くことで形成されている。この構成により、クリス溜部６２に充填されたグリス６０は、グリス６０の底側でガイド軸５０に接するようになっている。
【００９３】
さらに、図１に示されるように、ガイド軸５０の周りに螺旋状の押圧面６４Ａを備えた外形円状の回転部材６４が、ガイド軸５０に固定されている。
【００９４】
また、螺旋状の押圧面６４Ａに当接し、押圧面６４Ａを押圧することで回転部材６４を図１に示す矢印Ａ方向に回転させる円柱状の押圧部材６６が、ホルダ４６と一体的に設けられている。
【００９５】
さらに、ガイド軸５０には、矢印Ａ方向と反対方向（図１で示す矢印Ｂ方向）に、ガイド軸５０が回転するように、ガイド軸５０を付勢する付勢部材（図示省略）が設けられている。
【００９６】
なお、ガイド軸５０には図示せぬストッパーが設けられており、回転部材６４は、図１で示す初期位置から矢印Ｂ方向には、回転しないようになっている。
【００９７】
この構成により、ホルダ４６を図１に示す矢印Ｃ方向へ移動させると、押圧部材６６が螺旋状の押圧面６４Ａを押圧し、図２に示されるように、回転部材６４及びガイド軸５０は、矢印Ａ方向に回転するようになっている。
【００９８】
さらに、ホルダ４６を矢印Ｄ方向（矢印Ｃ方向に対して反対方向）へ移動させると、付勢部材の付勢力で、回転部材６４及びガイド軸５０は、矢印Ｂ方向に回転し、初期位置に復帰するようになっている。
【００９９】
次に、手ぶれ制御手段４２（図８参照）が、ホルダ４６を移動させてガイド軸５０を回転させるタイミング、及び、ホルダ４６が移動する範囲について説明する。
【０１００】
図６に示されるように、ホルダ４６の移動範囲には、ガイド軸５０を回転させない第１の移動範囲６８と、第１の移動範囲６８の外側を含み、押圧部材６６が押圧面６４Ａを押圧してガイド軸５０が回転させる第２の移動範囲７０が設けられている。
【０１０１】
撮影時に手ぶれ補正を行う場合は、システム制御回路８０の指示により、手ぶれ制御手段４２が、ホルダ４６を駆動部材５８の駆動力で第１の移動範囲６８を移動させて手ぶれを補正するようになっている。
【０１０２】
また、非撮影時には、システム制御回路８０の指示により、手ぶれ制御手段４２が、ホルダ４６を駆動部材５８の駆動力で第２の移動範囲７０を移動させて回転部材６４及びガイド軸５０を回転させるようになっている。
【０１０３】
次に、システム制御回路８０の指示により、手ぶれ制御手段４２（図８参照）がホルダ４６を第２の移動範囲７０で移動させて回転部材６４及びガイド軸５０を回転させるタイミングについては、図７に基づいて説明する。
【０１０４】
はじめに、ステップ１０００でユーザがデジタルカメラ１０の電源スイッチ２６をＯＮし、ステップ１１００に移行する。
【０１０５】
ステップ１１００では、システム制御回路８０の指示で、手ぶれ制御手段４２がグリス供給駆動モードに設定され、ステップ１２００へ移行する。
【０１０６】
ステップ１２００では、手ぶれ制御手段４２が、ホルダ４６をグリス供給駆動モードで動作させる。つまり、手ぶれ制御手段４２がホルダ４６を第２の移動範囲７０で移動させて回転部材６４及びガイド軸５０を回転させる。手ぶれ制御手段４２がガイド軸５０を回転させることで、グリス６０がガイド軸５０の周方向に渡って供給され、ステップ１３００へ移行する。
【０１０７】
なお、グリス６０をガイド軸５０の周方向に渡って万遍なく供給するため、複数回ガイド軸５０を往復回動させる構成としてもよい。
【０１０８】
ステップ１３００では、手ぶれ制御手段４２がグリス供給駆動モードを終了させてステップ１４００へ移行する。
【０１０９】
ステップ１４００では、撮影レンズ１２Ａを通ってＣＣＤ固体撮像素子１００に結像された被写体像のスルー画が、画像表示部２２上に表示され、ステップ１５００で撮影スタンバイとなる。
【０１１０】
このように、画像表示部２２上にスルー画が表示される前に、ホルダ４６を第２の移動範囲７０で移動させ、回転部材６４を回転させてグリス６０をガイド軸５０の周方向に渡って供給する。
【０１１１】
そして、撮影時、つまり画像表示部２２上に画像が表示されている際は、第１の移動範囲６８でホルダ４６を移動させて手ぶれ補正を行うため、手ぶれ補正を行う際には、ホルダ４６が回転部材６４を回転させることがない。このため、ホルダ４６に対する負荷を軽減することができ、素早く手ぶれ補正をすることができる。
【０１１２】
また、システム制御回路８０の指示によるグリス供給動作と、ジャイロセンサ４４の検知信号に基づいてシステム制御回路８０が手ぶれ制御手段４２を制御する制御動作とは、別個に行われる。このため、スルー画が表示されている時に、グリス供給動作に入ると、手ぶれ補正レンズ４０がガイド軸５０を回転させる第２の移動範囲７０（図６参照）で移動し、手ぶれを打ち消のとは無関係に移動してしまう。そうすると、スルー画を見たユーザは、不具合と認識してしまうことが考えられる。そこで、前述したように、グリス供給動作モードの後にスルー画が表示される（つまり、スルー画の表示時にはグリス供給モードに入らない）ようにすることにより、ユーザに不具合と認識されることなく、グリス６０をガイド軸５０へ供給することができる。
【０１１３】
また、前述したように、押圧部材６６が押圧面６４Ａを押圧してガイド軸５０が回転させるため、ガイド軸５０上の一箇所に設けられたグリス溜部６２のグリス６０をガイド軸５０の周方向に渡って供給することができる。このため、ホルダ４６とガイド軸５０の摺動抵抗を低減することができ、ホルダ４６の移動をスムーズにすることができる。
【０１１４】
また、作業者がグリスをガイド軸の周方向に渡って塗布する必要がないため、作業工数を低減することができる。
【０１１５】
また、このような構成によってガイド軸５０を回転させて、グリス６０をガイド軸５０の周方向に渡って供給するため、場所をとることなく設置が可能である。
【０１１６】
なお、本発明はかかる実施形態に限定されるものではなく、本発明の範囲内にて他の種々の実施形態が可能であることは当業者にとって明らかである。例えば、上記実施形態では、デジタルカメラの手ぶれ補正レンズを例にとって説明したが、これに替えて、フィルムカメラの手ぶれ補正レンズ等であってもよい。
【０１１７】
次に本発明の第２実施形態に係る移動体支持構造が採用されたデジタルカメラ１０について図１０に従って説明する。
【０１１８】
なお、第１実施形態と同一部材については、同一符号を付してその説明を省略する。
【０１１９】
図１０に示されるように、この実施形態では第１実施形態とは違い、電源スイッチ２６をＯＦＦした操作の後に、システム制御回路８０の指示で、手ぶれ制御手段４２がグリス供給駆動モードに設定されるようになっている。
【０１２０】
はじめに、ステップ１００１でユーザがデジタルカメラ１０の電源スイッチ２６をＯＦＦ操作し、ステップ１１０１に移行する。
【０１２１】
ステップ１１０１では、システム制御回路８０の指示により、画像表示部２２上に表示されていた被写体のスルー画が消去され、ステップ１２０１に移行する。
【０１２２】
ステップ１２０１では、システム制御回路８０の指示で、手ぶれ制御手段４２がグリス供給駆動モードに設定され、ステップ１３０１へ移行する。
【０１２３】
ステップ１３０１では、手ぶれ制御手段４２が、ホルダ４６をグリス供給駆動モードで動作させる。つまり、手ぶれ制御手段４２がホルダ４６を第２の移動範囲７０で移動させて回転部材６４及びガイド軸５０を回転させる。手ぶれ制御手段４２がガイド軸５０を回転させることで、グリス６０がガイド軸５０の周方向に渡って供給され、ステップ１４０１へ移行する。
【０１２４】
なお、グリス６０をガイド軸５０の周方向に渡って万遍なく供給するため、複数回ガイド軸５０を往復回動させてもよい。
【０１２５】
ステップ１４０１では、手ぶれ制御手段４２がグリス供給駆動モードを終了させてステップ１５０１へ移行して、ステップ１５０１で、電源を完全にＯＦＦする。
【０１２６】
このように、画像表示部２２のスルー画が消えた後に、ホルダ４６を第２の移動範囲７０で移動させ、回転部材６４を回転させてグリス６０をガイド軸５０の周方向に渡って供給する。
【０１２７】
次に本発明の第３実施形態に係る移動体支持構造が採用されたデジタルカメラ１０について図１１に従って説明する。
【０１２８】
なお、第１実施形態と同一部材については、同一符号を付してその説明を省略する。
【０１２９】
図１１に示されるように、この実施形態では第１実施形態とは違い、撮影後、画像表示部２２上にポストビューが表示されている間に、システム制御回路８０の指示で、手ぶれ制御手段４２がグリス供給駆動モードに設定されるようになっている。
【０１３０】
はじめに、ステップ１００２で、被写体のスルー画が画像表示部２２に表示されている状態で、ユーザがデジタルカメラ１０のシャッターボタン２０を押して被写体を撮影し、ステップ１１０２へ移行する。
【０１３１】
ステップ１１０２では、システム制御回路８０の指示により、画像表示部２２に撮影した被写体の画像がポストビューとして表示され、ステップ１２０２へ移行する。
【０１３２】
ステップ１２０２では、画像表示部２２にポストビューを表示した状態で、システム制御回路８０の指示で、手ぶれ制御手段４２がグリス供給駆動モードに設定され、ステップ１３０２へ移行する。
【０１３３】
ステップ１３０２では、手ぶれ制御手段４２が、ホルダ４６をグリス供給駆動モードで動作させる。つまり、手ぶれ制御手段４２がホルダ４６を第２の移動範囲７０で移動させて回転部材６４及びガイド軸５０を回転させる。手ぶれ制御手段４２がガイド軸５０を回転させることで、グリス６０がガイド軸５０の周方向に渡って供給され、ステップ１４０２へ移行する。
【０１３４】
なお、グリス６０をガイド軸５０の周方向に渡って万遍なく供給するため、複数回ガイド軸５０を往復回動させてもよい。
【０１３５】
ステップ１４０２では、手ぶれ制御手段４２がグリス供給駆動モードを終了させてステップ１５０２へ移行する。
【０１３６】
ステップ１５０２では、システム制御回路８０の指示により、画像表示部２２に表示されているポストビューを終了させ、ステップ１６０２で、画像表示部２２に被写体のスルー画を表示させ、ステップ１７０２で、デジタルカメラ１０を撮影スタンバイ状態とする。
【０１３７】
次に本発明の第４実施形態に係る移動体支持構造が採用されたデジタルカメラ１０について図１２、図１３に従って説明する。
【０１３８】
なお、第１実施形態と同一部材については、同一符号を付してその説明を省略する。
【０１３９】
図１２に示されるように、ホルダ４６には、手ぶれ補正レンズは取り付けられておらず、これに替えて、ＣＣＤ固体撮像素子１００が取り付けられている。
【０１４０】
詳細には、図１２、図１３に示されるように、ジャイロセンサ４４が検知した角速度が、システム制御回路８０へ伝達され、これに基づいて、システム制御回路８０は、手ぶれ制御手段４２を制御し、手ぶれを打ち消すようにＣＣＤ固体撮像素子１００を移動させるようになっている。
【０１４１】
このように、ホルダ４６に取り付けられたＣＣＤ固体撮像素子１００を移動させることで手ぶれ補正をすることができる。
【０１４２】
次に本発明の第５実施形態に係る移動体支持構造が採用されたデジタルカメラ１０について図１４、図１５に従って説明する。
【０１４３】
なお、第１実施形態と同一部材については、同一符号を付してその説明を省略する。
【０１４４】
図１５に示されるように、第１実施形態とは違い、時間を計測するタイマー１６２が設けられている。そして、このタイマー１６２は、システム制御回路８０の指示で、手ぶれ制御手段４２がグリス供給駆動モードに設定された時間を計測し、不揮発性メモリ１２２がこの時間を記憶するようになっている。
【０１４５】
以下、図１４に基づいて、システム制御回路８０の指示により、手ぶれ制御手段４２がホルダ４６を第２の移動範囲７０で移動させて回転部材６４及びガイド軸５０を回転させるタイミングについて説明する。
【０１４６】
はじめに、ステップ１００３で、ユーザがデジタルカメラ１０の電源スイッチ２６をＯＮし、ステップ１１０３に移行する。
【０１４７】
ステップ１１０３では、システム制御回路８０が、不揮発性メモリ１２２の記録により、前回グリス供給駆動モードで動作してから経過した時間を確認し、ステップ１２０３へ移行する。
【０１４８】
ステップ１２０３では、システム制御回路８０は、前回グリス供給駆動モードで動作してから経過した時間が所定時間以上経過しているか否かを判断し、所定時間以上経過している場合は、ステップ１３０３へ移行する。
【０１４９】
ステップ１３０３では、システム制御回路８０の指示で、手ぶれ制御手段４２がグリス供給駆動モードに設定され、ステップ１４０３へ移行する。
【０１５０】
ステップ１４０３では、手ぶれ制御手段４２が、ホルダ４６をグリス供給駆動モードで動作させる。つまり、手ぶれ制御手段４２がホルダ４６を第２の移動範囲７０で移動させて回転部材６４及びガイド軸５０を回転させる。手ぶれ制御手段４２がガイド軸５０を回転させることで、グリス６０がガイド軸５０の周方向に渡って供給され、ステップ１５０３へ移行する。
【０１５１】
なお、グリス６０をガイド軸５０の周方向に渡って万遍なく供給するため、複数回ガイド軸５０を往復回動させてもよい。
【０１５２】
ステップ１５０３では、手ぶれ制御手段４２がグリス供給駆動モードを終了させてステップ１６０３へ移行する。
【０１５３】
ステップ１６０３では、撮影レンズ１２Ａを通ってＣＣＤ固体撮像素子１００に結像された被写体像のスルー画が、画像表示部２２上に表示され、ステップ１７０３で撮影スタンバイとなる。
【０１５４】
なお、ステップ１２０３で、前回グリス供給駆動モードで動作してから経過した時間が所定時間以上経過していない場合は、ステップ１８０３へ移行し、グリス供給駆動モードには入らない。
【０１５５】
このように、前回グリス供給駆動モードで動作してから経過した時間が所定時間以上経過しているか否かを判断し、ホルダ４６をグリス供給駆動モードで動作させるため、グリスの効果が切れそうなタイミングでのみ、グリスを供給することができ、無駄に電力を消費するのを抑制することができる。
【０１５６】
なお、本発明はかかる実施形態に限定されるものではなく、本発明の範囲内にて他の種々の実施形態が可能であることは当業者にとって明らかである。例えば、上記実施形態では、前回グリス供給駆動モードで動作してから経過した時間が所定時間以上経過しているか否かを判断した後に、第１実施形態のフローに沿ってグリスを供給したが、これに替えて、前回グリス供給駆動モードで動作してから経過した時間が所定時間以上経過しているか否かを判断した後に、第２実施形態や第３実施形態のフローに沿ってグリスを供給してもよい。
【０１５７】
次に本発明の第６実施形態に係る移動体支持構造が採用されたデジタルカメラ１０について図１６、図１７に従って説明する。
【０１５８】
なお、第１実施形態と同一部材については、同一符号を付してその説明を省略する。
【０１５９】
図１７に示されるように、第１実施形態とは違い、手ぶれ制御手段４２がホルダ４６を第１の移動範囲６８で移動させた回数をカウントするカウンタ１６４が設けられている。そして、不揮発性メモリ１２２がこの回数を記憶するようになっている。
【０１６０】
以下、図１６に基づいて、システム制御回路８０の指示により、手ぶれ制御手段４２がホルダ４６を第２の移動範囲７０で移動させて回転部材６４及びガイド軸５０を回転させるタイミングについて説明する。
【０１６１】
はじめに、ステップ１００４で、ユーザがデジタルカメラ１０の電源スイッチ２６をＯＮし、ステップ１１０４に移行する。
【０１６２】
ステップ１１０４では、システム制御回路８０は、ホルダ４６が第１の移動範囲６８で移動した回数を不揮発性メモリ１２２から読み出し、ステップ１２０４へ移行する。
【０１６３】
ステップ１２０４では、システム制御回路８０は、ホルダ４６の第１の移動範囲６８での移動回数が所定回数以上か否かを判断し、所定回数以上の場合は、ステップ１３０４へ移行する。
【０１６４】
ステップ１３０４では、システム制御回路８０の指示で、手ぶれ制御手段４２がグリス供給駆動モードに設定され、ステップ１４０４へ移行する。
【０１６５】
ステップ１４０４では、手ぶれ制御手段４２が、ホルダ４６をグリス供給駆動モードで動作させる。つまり、手ぶれ制御手段４２がホルダ４６を第２の移動範囲７０で移動させて回転部材６４及びガイド軸５０を回転させる。手ぶれ制御手段４２がガイド軸５０を回転させることで、グリス６０がガイド軸５０の周方向に渡って供給され、ステップ１５０４へ移行する。
【０１６６】
なお、グリス６０をガイド軸５０の周方向に渡って万遍なく供給するため、複数回ガイド軸５０を往復回動させてもよい。
【０１６７】
ステップ１５０４では、手ぶれ制御手段４２がグリス供給駆動モードを終了させてステップ１６０４へ移行する。
【０１６８】
ステップ１６０４では、撮影レンズ１２Ａを通ってＣＣＤ固体撮像素子１００に結像された被写体像のスルー画が、画像表示部２２上に表示され、ステップ１７０４で撮影スタンバイとなる。
【０１６９】
なお、ステップ１２０４で、ホルダ４６の第１の移動範囲６８での移動回数が所定回数以下の場合は、ステップ１８０４へ移行し、グリス供給駆動モードには入らない。
【０１７０】
このように、ホルダ４６の第１の移動範囲６８での移動回数が所定回数以上であるか否かを判断し、グリス供給駆動モードで動作させるため、グリスの効果が切れそうなタイミングでのみ、グリスを供給することができ、無駄に電力を消費するのを抑制することができる。
【０１７１】
つまり、ホルダ４６がガイド軸５０に沿って摺動して摺動回数を重ねると、摺動によってグリスが掻き寄せられて、摺動部のグリス切れが発生することがあるが、グリスの効果が切れそうなタイミングでのみ、グリスを供給することができる。
【０１７２】
なお、本発明はかかる実施形態に限定されるものではなく、本発明の範囲内にて他の種々の実施形態が可能であることは当業者にとって明らかである。例えば、上記実施形態では、ホルダ４６の第１の移動範囲６８での移動回数が所定回数以上であるか否かを判断した後に、第１実施形態のフローに沿ってグリスを供給したが、これに替えて、ホルダ４６の第１の移動範囲６８での移動回数が所定回数以上であるか否かを判断した後に、第２実施形態や第３実施形態のフローに沿ってグリスを供給してもよい。
【図面の簡単な説明】
【０１７３】
【図１】本発明の第１実施形態に係る移動体支持構造が採用されたデジタルカメラを示し、ホルダを支持する支持構造を示した拡大斜視図である。
【図２】本発明の第１実施形態に係る移動体支持構造が採用されたデジタルカメラを示し、ホルダを支持する支持構造を示した拡大斜視図である。
【図３】本発明の第１実施形態に係る移動体支持構造が採用されたデジタルカメラを示し、ホルダを支持する支持構造を示した拡大斜視図である。
【図４】本発明の第１実施形態に係る移動体支持構造が採用されたデジタルカメラを示し、ホルダを支持する支持構造を示した斜視図である。
【図５】本発明の第１実施形態に係る移動体支持構造が採用されたデジタルカメラを示し、ホルダを支持する支持構造を示した断面図である。
【図６】本発明の第１実施形態に係る移動体支持構造が採用されたデジタルカメラを示し、ホルダを支持する支持構造を示した正面図である。
【図７】本発明の第１実施形態に係る移動体支持構造が採用されたデジタルカメラにおいて、グリス供給駆動モードを動作させる手順を示したフロー図である。
【図８】本発明の第１実施形態に係る移動体支持構造が採用されたデジタルカメラの電気的構成を示す機能ブロック図である。
【図９】（Ａ）（Ｂ）本発明の第１実施形態に係る移動体支持構造が採用されたデジタルカメラの斜視図である。
【図１０】本発明の第２実施形態に係る移動体支持構造が採用されたデジタルカメラにおいて、グリス供給駆動モードを動作させる手順を示したフロー図である。
【図１１】本発明の第３実施形態に係る移動体支持構造が採用されたデジタルカメラにおいて、グリス供給駆動モードを動作させる手順を示したフロー図である。
【図１２】本発明の第４実施形態に係る移動体支持構造が採用されたデジタルカメラを示し、ホルダを支持する支持構造を示した斜視図である。
【図１３】本発明の第４実施形態に係る移動体支持構造が採用されたデジタルカメラの電気的構成を示す機能ブロック図である。
【図１４】本発明の第５実施形態に係る移動体支持構造が採用されたデジタルカメラにおいて、グリス供給駆動モードを動作させる手順を示したフロー図である。
【図１５】本発明の第５実施形態に係る移動体支持構造が採用されたデジタルカメラの電気的構成を示す機能ブロック図である。
【図１６】本発明の第６実施形態に係る移動体支持構造が採用されたデジタルカメラにおいて、グリス供給駆動モードを動作させる手順を示したフロー図である。
【図１７】本発明の第６実施形態に係る移動体支持構造が採用されたデジタルカメラの電気的構成を示す機能ブロック図である。
【符号の説明】
【０１７４】
１０          デジタルカメラ（カメラ）
２２          画像表示部（表示装置）
４０          補正レンズ（手ぶれ補正部材）
４６          ホルダ（移動体）
４８          円孔
５０          ガイド軸（案内軸）
６０          グリス
６２          グリス溜部
６４Ａ        押圧面
６４          回転部材
６６          押圧部材
６８          第１の移動範囲
７０          第２の移動範囲
８０          システム制御回路（制御部）
１００        ＣＣＤ固体撮像素子（撮像素子、手ぶれ補正部材）
【図１】
2009079739.tif 000003
【図２】
2009079739.tif 000004
【図３】
2009079739.tif 000005
【図４】
2009079739.tif 000006
【図５】
2009079739.tif 000007
【図６】
2009079739.tif 000008
【図７】
2009079739.tif 000009
【図８】
2009079739.tif 000010
【図９】
2009079739.tif 000011
【図１０】
2009079739.tif 000012
【図１１】
2009079739.tif 000013
【図１２】
2009079739.tif 000014
【図１３】
2009079739.tif 000015
【図１４】
2009079739.tif 000016
【図１５】
2009079739.tif 000017
【図１６】
2009079739.tif 000018
【図１７】
2009079739.tif 000019